(57)【要約】【課題】再構成画像におけるアーチファクトを軽減しながら石灰化のＣＴ値を適切に補正することができるようにしたＸ線ＣＴ装置を提供する。【解決手段】ステップＳ４で示した被検体のスキャン処理に先立って、ステップＳ２で示したカルシウムファントムスキャン処理手段によるカルシウムファントムスキャン処理を行ってカルシウム成分補正テーブルの作成を開始し、ステップＳ４での被検体のスキャン処理後、ステップＳ６でカルシウムキャリブレーション処理手段によるカルシウムキャリブレーション処理でを行って内部カルシウム成分のＣＴ値をカルシウム成分補正テーブルを用いて補正する。【選択図】        図１
2005052191.tif 000002
【特許請求の範囲】
【請求項１】
被検体を介してＸ線源とＸ線検出器を対向配置し、スキャン処理時にＸ線源から照射して被検体を透過したＸ線を上記Ｘ線検出器で検出して計測投影データを取得し、この計測投影データを用いて再構成手段によって再構成画像を得るＸ線ＣＴ装置において、被検体のスキャン処理に先立ってカルシウム成分補正テーブルの作成を開始する補正テーブル作成手段と、被検体のスキャン処理による内部カルシウム成分のＣＴ値を上記カルシウム成分補正テーブルに応じて補正するカルシウムキャリブレーション手段とを備えたことを特徴とするＸ線ＣＴ装置。
【請求項２】
請求項１記載のものにおいて、上記カルシウム成分補正テーブルは、カルシウム成分の含有量および大きさとが異なる複数のカルシウム基準体を有するカルシウムファントムを用い、このカルシウムファントムのスキャン処理によるＣＴ値と、理想的ＣＴ値との差から作成したことを特徴とするＸ線ＣＴ装置。
【請求項３】
請求項１記載のものにおいて、上記カルシウム成分補正テーブルは、カルシウム成分の含有量および大きさとが異なる複数のカルシウム基準体を有するカルシウムファントムを計算機シミュレーションで発生させ、このカルシウムファントムの計算機シミュレーションでのＣＴスキャン処理によるＣＴ値と、理想的ＣＴ値との差から作成したことを特徴とするＸ線ＣＴ装置。
【発明の詳細な説明】
【０００１】
【発明の属する技術分野】
本発明はＸ線ＣＴ装置に係わり、特に心臓領域のＣＴ撮影を行うのに好適なＸ線ＣＴ装置に関する。
【０００２】
【従来の技術】
Ｘ線ＣＴ装置は、Ｘ線源とＸ線検出器とを対向配置したスキャナを被検体の周囲３６０度回転しながら（第３世代ＣＴ装置）被検体を透過したＸ線を取得し、逆投影法などの画像再構成法を用いて断層画像を得る医療機器であり、鮮明な断層像が得られるためその臨床的有用性は高く、例えば、通常のレントゲン検査では写らない程度の肺がんや石灰化などを明瞭に捉えることが可能である。しかし、心臓領域の撮影の場合、心臓は通常、健常者で１分間に６０〜７０回の拍動を繰り返しており、Ｘ線ＣＴ装置で同部を撮影すると、その再構成画像にアーチファクト（擬似画像）が発生する。このため拍動する心臓を撮影するには、スキャナが被検体の周囲を回転走査する第３世代ＣＴ装置では原理的に無理がある。
【０００３】
この点、Ｘ線源とＸ線検出器が被検体の周囲を回転走査しない電子ビーム走査型ＣＴと呼ばれる第４世代ＣＴ装置では、スキャンスピードを１００ｍｓｅｃ程度まで高速化して心臓領域の撮影を可能にしているが、心臓が停止したような明瞭な心臓断層像が得られるものの装置が大規模化し高価格となってしまう。また第３世代ＣＴ装置を用いて心臓領域の撮影を実現するために、比較的心臓の動きの少ない拡張期前後のみに計測された投影データを再構成する方法等があり、これは心電同期再構成法またはＥＣＧ再構成法などと呼ばれている。スキャンスピードが１秒程度の第３世代ＣＴ装置で実施されているＥＣＧ再構成法では、十分な時間分解能の心臓断層像を得ることはできない。ところが、近年、第３世代ＣＴ装置のスキャンスピードは１秒を大きく下回る０．５秒以下が実現され、さらには体軸方向に多数配列された多列検出器が搭載されるようになると、ＥＣＧ再構成法が見直されてきた。
【０００４】
このような多列検出器を搭載したスキャンスピードが１秒以下のＸ線ＣＴ装置でＥＣＧ再構成法を実施すると、心臓領域を実効的な時間分解能１００〜２５０ｍｓｅｃ程度で再構成画像を得ることも可能となり、時間分解能ではウルトラファーストＣＴ装置と同等とも成り得てきた。心臓領域をＥＣＧ再構成法を用いて撮影すると、心臓が停止したかのような鮮明な心臓断層像が得られる以外に冠動脈の石灰化などの情報も画像から得ることが可能となる。この冠動脈の石灰化は虚血性心疾患と強い相関があると言われている。ウルトラファーストＣＴ装置では、冠動脈石灰化の大きさやＣＴ値などから石灰化の危険度指標であるカルシウムスコアを算出し、虚血性心疾患の予防に役立てている。
【０００５】
しかしながら、冠動脈石灰化は冠動脈自体が数ミリ程度であるため、その石灰化の大きさも非常に小さい。それゆえ、石灰化のＣＴ値が実際よりも低く計測されることがある。カルシウムスコアリングの基準は石灰化した領域のＣＴ値を基準としているため、発見した冠動脈石灰化のＣＴ値が低く計測されることはカルシウムスコア値が下がることになり、これは虚血性心疾患の危険度指標を下げていることになってしまう。このような問題を解決するため、カルシウム基準体を被検体と一緒にスキャンし、これを補正に用いるＸ線ＣＴ装置が提案されている（例えば、特許文献１参照）。
【０００６】
【特許文献１】
特開２００２−１８６６１１号公報
【０００７】
【発明が解決しようとする課題】
しかしながら、従来のＸ線ＣＴ装置は、被検体と一緒に患者ベッドに埋め込まれたカルシウム基準体をスキャンしているため、Ｘ線高吸収体と一緒に人体などをスキャン処理することになり、再構成画像にはアーチファクトが多く発生することが予想され臨床上有効ではない。またカルシウム基準体はカルシウムの含有量が異なっているが、その大きさは一定であり、様々な大きさの石灰化に対して適切に補正することができなかった。
【０００８】
本発明の目的は、再構成画像におけるアーチファクトを軽減しながら石灰化のＣＴ値を適切に補正することができるようにしたＸ線ＣＴ装置を提供することにある。
【０００９】
【課題を解決するための手段】
本発明は上記目的を達成するために、被検体を介してＸ線源とＸ線検出器を対向配置し、スキャン処理時にＸ線源から照射して被検体を透過したＸ線を上記Ｘ線検出器で検出して計測投影データを取得し、この計測投影データを用いて再構成手段によって再構成画像を得るＸ線ＣＴ装置において、被検体のスキャン処理に先立ってカルシウム成分補正テーブルの作成を開始する補正テーブル作成手段と、被検体のスキャン処理による内部カルシウム成分のＣＴ値を上記カルシウム成分補正テーブルに応じて補正するカルシウムキャリブレーション手段とを備えたことを特徴とする。
【００１０】
本発明によるＸ線ＣＴ装置は、従来のように被検体と一緒に患者ベッドに埋め込まれたカルシウム基準体をスキャンするのではなく、被検体のスキャン処理に先立って、カルシウムファントムスキャン処理手段によるカルシウムファントムスキャン処理を実施し、この結果に基づいてカルシウムキャリブレーション処理手段でカルシウムキャリブレーション処理を行ってＣＴ値を補正しているため、Ｘ線高吸収体と一緒に人体などをスキャン処理することがないので再構成画像におけるアーチファクトを軽減しながら石灰化のＣＴ値を適切に補正することができる。
【００１１】
また請求項２に記載の本発明は、請求項１記載のものにおいて、上記カルシウム成分補正テーブルは、カルシウム成分の含有量および大きさとが異なる複数のカルシウム基準体を有するカルシウムファントムを用い、このカルシウムファントムのスキャン処理によるＣＴ値と、理想的ＣＴ値との差から作成したことを特徴とする。このようなＸ線ＣＴ装置によれば、カルシウム成分の含有量および大きさとが異なる複数のカルシウム基準体を有するカルシウムファントムを用いているため、被検体のスキャン処理によるカルシウム成分の大きさに対応させたカルシウム基準体を選定して、より正確にＣＴ値を補正することができる。
【００１２】
例えば、カルシウム成分補正テーブルは、カルシウム成分の含有量および大きさとが異なる複数のカルシウム基準体を有するカルシウムファントムを用い、このカルシウムファントムのスキャン処理によるＣＴ値を測定し、測定された直径別の上記カルシウム基準体のＣＴ値を元に算出した補正基準線から両者の誤差量を得て作成し、カルシウムキャリブレーション手段は、被検体のスキャン処理による内部カルシウム成分のＣＴ値を上記誤差量から補正することができる。
【００１３】
また請求項３に記載の本発明は、請求項１記載のものにおいて、上記カルシウム成分補正テーブルは、カルシウム成分の含有量および大きさとが異なる複数のカルシウム基準体を有するカルシウムファントムを計算機シミュレーションで発生させ、このカルシウムファントムの計算機シミュレーションでのＣＴスキャン処理によるＣＴ値と、理想的ＣＴ値との差から作成したことを特徴とする。このようなＸ線ＣＴ装置によれば、実際にＸ線を曝射することなくカルシウム成分補正テーブルを容易に得ることができる。
【００１４】
【発明の実施の形態】
以下、本発明の実施の形態を図面に基づいて説明する。
図１は、本発明の一実施の形態によるＸ線ＣＴ装置の動作を示すフローチャートである。
先ず、ステップＳ１では、判定手段によってＥＣＧ撮影モードか否かを判定する。つまり、ＥＣＧ同期撮影した画像から冠動脈のカルシウムスコアの算出を行うか否かを判定する。判定手段がステップＳ１でＥＣＧ撮影モードではないと判定した場合、例えば頭部検査の場合はステップＳ３の通常スキャン処理を行う。この通常スキャン処理では、Ｘ線源から照射して被検体を透過したＸ線をＸ線検出器で検出し、これに基づく投影データを画像再構成手段によってステップＳ８で再構成し、その再構成画像を画像表示手段によって表示装置に表示する。一方、ＣＴ検査領域が心臓でありＥＣＧ撮影モードの場合、被検体のＥＣＧ同期スキャン処理に先立って、ステップＳ２のカルシウムファントムスキャン処理手段によるカルシウムファントムスキャン処理へ移る。
【００１５】
このカルシウムファントムスキャン処理手段によるカルシウムファントムスキャン処理では、図２に示した円柱状のカルシウムファントムをスキャン処理する。このカルシウムファントムは、同図（Ａ）に示すように複数本の円柱状カルシウム基準体１，２，３を有しており、それぞれの直径は例えば２ｍｍ、４ｍｍ、６ｍｍであるが、その本数や径はこれらに限定されるものではない。またカルシウム基準体１〜３は、同図（Ｂ）に示したように体軸方向にカルシウム含有量が異なり、それぞれＣＴ値レベルで１００、２００、３００、４００のように順次変化させている。カルシウムファントムスキャン処理手段によってこのカルシウムファントムをスキャン処理した後、再構成画像処理を実行し、この画像のＣＴ値に基づいて後述するように被検体のスキャン処理におけるＥＣＧ同期再構成画像の内部カルシウム成分のＣＴ値を補正する。
【００１６】
ステップＳ２でのカルシウムファントムのスキャン処理が終了すると、ステップＳ４のＥＣＧ同期スキャン処理手段による被検体のＥＣＧ同期スキャン処理に移る。ここでは、被検体の心拍数などのパラメータから最適な撮影条件が決定される。ＥＣＧ同期スキャン処理としては様々なものが提案されており、いずれのものでも適用することができる。Ｘ線源から照射して被検体を透過したＸ線をＸ線検出器で検出すると共に、被検体の心拍に関連した計測投影データを収集する。
【００１７】
ステップＳ４でのＥＣＧ同期スキャン処理が終了すると、ステップＳ５ではＥＣＧ再構成処理手段によるＥＣＧ再構成処理が行われ、先の計測投影データに基づいて心臓領域の断層像が再構成される。冠動脈が石灰化を起こしていると仮定すると、この段階の心臓断層像に含まれる冠動脈の石灰化部分は、その石灰化領域が小さいこと、また螺旋スキャンの影響などからそのＣＴ測定値が真のＣＴ値より低下したり、または上昇しているため、このＣＴ値をそのまま採用することができない。
【００１８】
そこで、このＣＴ値の正当性を高めるため、ステップＳ６でカルシウムキャリブレーション処理手段によるカルシウムキャリブレーション処理を行い、心臓断層像の石灰化領域のＣＴ値を真値に補正処理する。次に、このカルシウムキャリブレーション処理手段によるカルシウムキャリブレーション処理について説明する。
【００１９】
上述したステップＳ２のカルシウムファントムスキャン処理手段によるカルシウムファントムスキャン処理によって得られた再構成画像は図３（Ｂ）のようになる。同図（Ｂ）は、図３（Ａ）に示したカルシウム基準体１〜３のＣＴ値１００に対応するＡ−Ａ線に沿った断面を示しており、各カルシウム基準体１〜３内の各＋位置は、ＣＴ値の各測定位置を表している。このカルシウム基準体１のＣＴ値を５箇所の＋位置で測定し、そのＣＴ測定値の平均ＣＴ測定値を得る。またカルシウム基準体１〜３のＣＴ値２００およびＣＴ値３００に対応する断面位置においても同様にＣＴ測定値の平均ＣＴ測定値を得る。さらに、図４（Ａ）に示したカルシウム基準体１〜３のＣＴ値４００に対応するＢ−Ｂ線に沿った断面位置でも、各カルシウム基準体１〜３内の各５箇所の＋位置でＣＴ値の測定を行い、そのＣＴ測定値の平均ＣＴ測定値を得る。このように５箇所の測定位置によるＣＴ測定値の平均ＣＴ測定値が算出されるので、ＣＴ値の一様性が考慮されたことになる。
【００２０】
この結果、各断面位置の平均ＣＴ測定値は理想的には１００、２００、３００、４００となり、図５の近似直線４のように比例関係を示すが、使用しているＸ線ＣＴ装置の特性およびカルシウム基準体の大きさなどの要因から必ずしも図５のようにはならない。実際には図６に示す近似直線５のようにカルシウム基準体１における平均ＣＴ測定値の低下が見込まれる。この近似直線５は、カルシウム基準体１のＣＴ値が異なる各断面位置での平均ＣＴ測定値をもとに、例えばカルシウム基準体１のＣＴ値１００の断面位置における平均ＣＴ測定値が５０、ＣＴ値２００の断面位置における平均ＣＴ測定値が１５０、ＣＴ値３００の断面位置における平均ＣＴ測定値が２１０、ＣＴ値４００の断面位置における平均ＣＴ測定値が３１０であったとき、最小二乗法によって得られたもので、以下、補正基準線と称する。この補正基準線５は上述した４点から近似すると、数１によって表すことができる。
【数１】
2005052191.tif 000003
【００２１】
次に、このように実際に低下したカルシウム成分のＣＴ値を補正するカルシウムキャリブレーション処理手段によるカルシウムキャリブレーション処理に説明する。
ステップＳ４およびステップＳ５のＥＣＧ同期スキャン処理およびＥＣＧ再構成処理によって、図７に示したように２ｍｍ程度の直径を持つカルシウム成分６を含む断層像が得られたとする。このカルシウム成分６は２ｍｍ程度の大きさなので、そのＣＴ値を補正するカルシウムキャリブレーション処理においては、径が２ｍｍであるカルシウム基準体１を基準に考える。今、カルシウム成分６の中心付近のＣＴ測定値が１８０と測定されたと仮定すると、図８に示すように縦軸で示すＣＴ測定値が１８０である場合、カルシウム基準体１のＣＴ値は２５３のカルシウム成分がそれに相当し、近似直線４に対してＣＴ値７が低下したと判断される。
【００２２】
図２（Ｂ）に示したようにカルシウム基準体１には、実際にＣＴ値２５３のカルシウム含有部分は存在しないが、上述した補正基準線５から推測することができる。つまりＣＴ値２５３のカルシウム成分であるが、上述したようにスキャン処理や様々な要因により１８０に低下したことになる。従って、真のＣＴ値２５３は、ＣＴ測定値１８０にＣＴ補正値７３を加算した補正後に得られることになる。
【００２３】
このようなカルシウム成分のＣＴ値補正を一般式で説明すると、近似直線４を数２で、また補正基準線５を数３のように表すことができる。
【数２】
2005052191.tif 000004
【数３】
2005052191.tif 000005
ここで、数２は理想的ＣＴ値を示す直線であるため、本来は係数ａ１および係数ｂ１はそれぞれ１および０と考えるべきであるが、Ｘ線ＣＴ装置によっては完全に成り立つとは言えず、装置固有の特性も考慮して係数を付加し説明している。
【００２４】
またカルシウム成分の補正変換式は数４のように表すことができ、ここでＹ２は実際に補正対象のカルシウム成分のＣＴ値を示し、ａ１、ａ２、ｂ１、ｂ２などは数２および数３に示した一般式の係数をそれぞれ表している。
【数４】
2005052191.tif 000006
実際に図８を用いて説明したＣＴ値の補正について、数４を用いて求めてみると、ｙ２＝１８０、ａ２＝０．８３、ｂ２＝−３０、ａ１＝１、ｂ１＝０であるから、補正後ＣＴ値Ｙ１は２５３として求められる。このような数４を全てのＣＴ値に対して予め計算しておくことにより、カルシウム成分補正テープルが作成される。その後、図７に示したカルシウム成分６のＣＴ値は、このカルシウム成分補正テーブルを有するカルシウムキャリブレーション処理手段によって補正される。
【００２５】
ここまでの説明では、カルシウム成分６の中心付近の画素を補正対象としたが、同じ処理をカルシウム成分６の画素全てについて実行すれば、カルシウム成分６の全体を補正することになる。各画素毎に補正を実行しなくても、カルシウム成分６の領域全体の平均値を計算し、全体値を数４で補正換算しても良い。この場合、演算の高速化が図れる反面、誤差成分も大きくなる。
【００２６】
図７に示したカルシウム成分６の場合、その大きさが２ｍｍ程度と仮定して説明したが、実際には様々な大きさのカルシウム成分が存在する。例えば、６ｍｍ程度のカルシウム成分を補正するには、カルシウム基準体１を用いた補正ではその誤差が大きくなるので、それに近い他のカルシウム基準体２，３、望ましくは６ｍｍのカルシウム基準体３を用いることによって誤差を抑えることができる。
カルシウム基準体２，３を用いたＣＴ値の補正処理では、図９に示すようにカルシウム基準体１の場合と同様にＣＴ値を測定し、最小二乗法により求めた近似直線を補正基準線８，９として行うことができる。
【００２７】
このようにカルシウムファントムとして径の異なる複数のカルシウム基準体１〜３を用いているため、実際に測定したカルシウム成分に応じて誤差を抑えることができる近似のカルシウム基準体１〜３を選定し、これを用いて補正基準線を算出することによって、様々な大きさのカルシウム成分に対して有効に補正を実行することができるようになる。また補正換算に関しては数４をそのまま適用することができ、単に補正基準線の係数ａ２、ｂ２を変化させるだけである。また上述した説明では補正基準線を算出する際、最小二乗法による直線近似を用いたが、近似はこれに限らずスプライン補間等を用いて良く、さらに最小二乗法は一次の直線近似を用いて説明したが、二次の曲線近似を補正基準線としても良い。
【００２８】
図１０は、上述したカルシウムキャリブレーション処理の動作を示すフローチャートである。
ステップＳ６のカルシウムキャリブレーション処理が開始されると、先ず、ステップＳ６ａではＥＣＧ再構成画像からカルシウム成分６の画像のみを取り出しが行われ、この抽出処理は閾値処理やマスク処理で行うことができる。続くステップＳ６ｂでは、得られたカルシウム成分のみの画像の大きさを計算し、この大きさに最も近いカルシウム基準体１〜３の補正基準線を選択する。例えば、カルシウム成分６の大きさが５．６ｍｍであれば、もっとも補正に相応しいのは直径６ｍｍのカルシウム基準体３の補正基準線である。またカルシウム成分６の大きさが直径３ｍｍの場合は、カルシウム基準体１とカルシウム基準体２の中間の径であるから、直径２ｍｍのカルシウム基準体１の補正基準線と直径４ｍｍのカルシウム基準体２の補正基準線から新たに補正基準線を作るか、またはそれら二つの補正基準線の係数の平均を用いて補正換算式に適用するなどで対応することができる。
【００２９】
次のステップＳ６ｃでは、上述した補正基準線の係数を元にカルシウム成分６のＣＴ値を数４を用いてカルシウム成分補正テーブルを作成し、これを参照して補正換算する。このカルシウムキャリブレーション処理を行うカルシウムキャリブレーション処理手段は、Ｘ線ＣＴ装置の演算装置を用いてソフトウエアー上で構成することができる。このカルシウムキャリブレーション処理の後、ステップＳ７でカルシウムスコアリング処理手段に画像が渡され、カルシウムスコアリング処理が実施され、適正なカルシウムスコアリング評価が実施される。
【００３０】
その後に行われるＥＣＧ同期スキャン処理においては、図１に示したステップＳ２のカルシウムファントムスキャン処理を行うことなくステップＳ４のＥＣＧ同期スキャン処理を実施し、ステップＳ５のＥＣＧ再構成処理を行った後、ステップＳ６でカルシウムキャリブレーション処理を行う。このときのカルシウムキャリブレーション処理は、既に作成しているカルシウム成分補正テーブルを用いて補正換算する。しかし、Ｘ線ＣＴ装置のシステムを変更した場合、このカルシウム成分補正テーブルは図１に示したフローチャートに従って作成して更新するのが望ましい。
【００３１】
上述した実施の形態のＸ線ＣＴ装置によれば、従来のように被検体と一緒に患者ベッドに埋め込まれたカルシウム基準体をスキャンするのではなく、ステップＳ４で示した被検体のスキャン処理に先立って、ステップＳ２で示したカルシウムファントムスキャン処理手段によるカルシウムファントムスキャン処理を実施し、この結果に基づいてカルシウムキャリブレーション処理手段でカルシウムキャリブレーション処理を行ってＣＴ値を補正しているため、Ｘ線高吸収体と一緒に人体などをスキャン処理することがないので再構成画像にアーチファクトが発生しない。しかも、カルシウムファントムは径の異なる複数のカルシウム基準体１〜３から構成しているため、様々な大きさの石灰化に対して適切にＣＴ値を補正することができる。
【００３２】
図１１は、本発明の他の実施の形態によるＸ線ＣＴ装置の動作を示すフローチャートであり、図１に示した手順と同等の手順には同一符号を付けて詳細な説明を省略する。
上述した実施の形態では、カルシウムファントムを用いた場合のカルシウムキャリブレーション処理について説明したが、この実施の形態では、ステップＳ２Ａでカルシウムファントムスキャンを計算機シミュレーションデータで得て、この計算機シミュレーションで得られた模擬的カルシウムスキャンファントム断層像のＣＴ値と理想的ＣＴ値との差から算出したカルシウム補正テーブルを作成する。ステップＳ６のカルシウムキャリブレーション処理では、先の実施の形態の場合と同様のカルシウムキャリブレーション処理手段により、このカルシウム補正テーブルを用いてＣＴ値を補正するようにする。つまり、図２（Ａ）で示したカルシウムファントムを計算機上で、直径、長さ等をもとに発生させ、このファントムを計算機上でＣＴスキャンと同等の演算を実行することで、模擬的なカルシウムスキャンファントム断層像を得ることができる。
【００３３】
この実施の形態によっても、先の実施の形態と同様にカルシウム補正テーブルを用いてカルシウムキャリブレーション処理手段でカルシウムキャリブレーション処理を行ってＣＴ値を補正しているため、Ｘ線高吸収体と一緒に人体などをスキャン処理することがないので再構成画像にアーチファクトが発生しない。しかも、図１に示したステップＳ２のカルシウムファントムスキャン処理を行わないため、実際にＸ線を曝射することなくカルシウム補正テーブルを得ることができる。
【００３４】
尚、上述した実施の形態では、二次元画像についてのカルシウムキャリブレーション処理手段について説明したが、三次元画像を用いたカルシウムキャリブレーション処理手段とし、この場合も二次元画像の場合と同様の補正処理を行い、カルシウムファントムの形状等については、球形のカルシウムファントムをスキャン処理して三次元再構成画像を得てから、その三次元画像のボクセル値を理想系のボクセル値と比較して補正を実施する。補正換算方法などは、上述した数４で行うことができる。ただし基準となるのは二次元画像のＣＴ値に対してボクセル値で実施することになる。
【００３５】
【発明の効果】
以上説明したように本発明のＸ線ＣＴ装置によれば、従来のように被検体と一緒に患者ベッドに埋め込まれたカルシウム基準体をスキャンするのではなく、被検体のスキャン処理に先立って作成を開始したカルシウム成分補正テーブルを有しており、このカルシウム成分補正テーブルに基づいてカルシウムキャリブレーション処理を行ってＣＴ値を補正することができ、Ｘ線高吸収体と一緒に人体などをスキャン処理することがないので再構成画像におけるアーチファクトを軽減しながら石灰化のＣＴ値を適切に補正することができる。
【図面の簡単な説明】
【図１】本発明の一実施の形態によるＸ線ＣＴ装置の動作を示すフローチャートである。
【図２】図１に示したカルシウムファントムスキャン処理で用いるカルシウムファントムを示す斜視図および断面図である。
【図３】図２に示したカルシウムファントムのＡ−Ａ線に沿った断面図である。
【図４】図２に示したカルシウムファントムのＢ−Ｂ線に沿った断面図である。
【図５】カルシウムファントムを用いた理想的なＣＴ値特性図である。
【図６】カルシウムファントムを用いた実際のＣＴ値特性図である。
【図７】カルシウム成分を有する画像の説明図である。
【図８】図１に示したカルシウムキャリブレーション処理を示すＣＴ値特性図である。
【図９】図１に示したカルシウムキャリブレーション処理を示す他のＣＴ値特性図である。
【図１０】図１に示したカルシウムキャリブレーション処理の動作を示すフローチャートである。
【図１１】本発明の他の実施の形態によるＸ線ＣＴ装置の動作を示すフローチャートである。
【符号の説明】
１〜３  カルシウム基準体
４  近似直線
５  補正基準線
【図１】
2005052191.tif 000007
【図２】
2005052191.tif 000008
【図３】
2005052191.tif 000009
【図４】
2005052191.tif 000010
【図５】
2005052191.tif 000011
【図６】
2005052191.tif 000012
【図７】
2005052191.tif 000013
【図８】
2005052191.tif 000014
【図９】
2005052191.tif 000015
【図１０】
2005052191.tif 000016
【図１１】
2005052191.tif 000017